(57)【要約】      （修正有）【課題】複数の標的を配置した状態で、転がってくるボールを打者が打ち返し、打ち返したボールがいずれの標的に当たったかで成績を競うゲームに用いられ、該打者に向けてボールを転がす投球用具の組み立てを容易にし、また標的の表示内容を見やすくする。【解決手段】ボールが排出される排出口１１と、排出口１１よりも高い位置に設けられボールを供給する供給口１２と、排出口１１と供給口１２とを結び供給口１２から供給したボールが排出口１１に向かって転がる案内部１３とを有する樋又は筒状のガイド部材１と、ガイド部材１を支持し、ガイド部材１と分離自在な支持部材２とを備え、ガイド部材１と支持部材２のうちのいずれか一方の部材はピン３が差し込まれる差込孔を有するとともに、いずれか他方の部材はピン３を有し、ピン３が該差込孔に差し込まれることで、ガイド部材１が支持部材２によって支持される。【選択図】図１
0003146779.tif 000002
【実用新案登録請求の範囲】
【請求項１】
複数の標的を配置した状態で、転がってくるボールを打者が打ち返し、打ち返したボールがいずれの標的に当たったかで成績を競うゲームに用いられ、該打者に向けてボールを転がす投球用具において、
ボールが排出される排出口と、該排出口よりも高い位置に設けられボールを供給する供給口と、該排出口と該供給口とを結び該供給口から供給したボールが該排出口に向かって転がる案内部とを有する樋又は筒状のガイド部材と、
前記ガイド部材を支持し、該ガイド部材と分離自在な支持部材とを備え、
前記ガイド部材と前記支持部材のうちのいずれか一方の部材はピンが差し込まれる差込孔を有するとともに、いずれか他方の部材は該ピンを有し、該ピンが該差込孔に差し込まれることで、該ガイド部材が該支持部材によって支持されることを特徴とする投球用具。
【請求項２】
前記ガイド部材が、底面に下方に向けて突出した取り外し自在のピンを有するものであり、前記支持部材が、上方を向いた端部に前記ピンが差し込まれる差込孔を有するものであることを特徴とする請求項１記載の投球用具。
【請求項３】
突部を有する台座部材を備え、
前記支持部材が、前記突部が嵌め込まれる嵌込孔を有し、
前記台座部材は、前記突部が前記嵌込孔に嵌め込まれることで前記支持部材を支えるものであることを特徴とする請求項１又は２記載の投球用具。
【請求項４】
複数の標的を配置した状態で、転がってくるボールを打者が打ち返し、打ち返したボールがいずれの標的に当たったかで成績を競うゲームに用いられる標的において、
ホームベース表示線の方を向けることができ、前記ゲームの成績につながる表示がなされた表示板を有することを特徴とする標的。
【考案の詳細な説明】
【技術分野】
【０００１】
本実用新案は転がってくるボールを打者が打ち返し、打ち返したボールがいずれの標的に当たったかで成績を競うゲームの用具に関するものである。
【背景技術】
【０００２】
高齢者・障害者・幼児が楽しめるボールゲームの種類を増やし、運動能力を維持向上させることは、寝たきり防止やリフレッシュ効果として、求められていることである。この求めに対応する。
【特許文献１】実用新案登録第３１１４５８４号
【考案の開示】
【考案が解決しようとする課題】
【０００３】
類似のゲーム用具に実用新案登録第３１１４５８４号の擬似野球ゲーム用具がある。
該用具類のうち投球用具は屋内で用いるには用具の組み立てが困難という欠点がある。
また、該用具類の打球判定用具（標的と呼称する）は平面展開のために表示内容がプレーヤーに見難いという欠点がある。
本考案は、投球用具の組み立てを容易にし、また標的の表示内容を見やすくすることを目的とする。
【課題を解決するための手段】
【０００４】
上記目的を解決する本考案の投球用具は、複数の標的を配置した状態で、転がってくるボールを打者が打ち返し、打ち返したボールがいずれの標的に当たったかで成績を競うゲームに用いられ、該打者に向けてボールを転がす投球用具において、
ボールが排出される排出口と、該排出口よりも高い位置に設けられボールを供給する供給口と、該排出口と該供給口とを結び該供給口から供給したボールが該排出口に向かって転がる案内部とを有する樋又は筒状のガイド部材と、
前記ガイド部材を支持し、該ガイド部材と分離自在な支持部材とを備え、
前記ガイド部材と前記支持部材のうちのいずれか一方の部材はピンが差し込まれる差込孔を有するとともに、いずれか他方の部材は該ピンを有し、該ピンが該差込孔に差し込まれることで、該ガイド部材が該支持部材によって支持されることを特徴とする。
上記いずれか他方の部材は、上記ピンが取り外すことが可能な状態でそのピンを有するものであってもよいし、上記ピンと一体化されたものであってもよい。
本考案の投球用具によれば、ガイド部材と支持部材は前記ピンを差し込むこによって組み立てられるので、屋内用としてその組み立ては容易である。
さらに、本考案の投球用具において、突部を有する台座部材を備え、
前記支持部材が、前記突部が嵌め込まれる嵌込孔を有し、
前記台座部材は、前記突部が前記嵌込孔に嵌め込まれることで前記支持部材を支えるものである態様が好ましい。
この態様によれば、支持部材と台座部材は台座部材の突部と支持部材の嵌込孔を嵌め込むことにより組み立てられるので、屋内用としてその組み立ては容易である。また、上記台座部材を設けたことで、投球用具をより安定して設置することができる。
【０００５】
上記目的を解決する本考案の標的は、複数の標的を配置した状態で、転がってくるボールを打者が打ち返し、打ち返したボールがいずれの標的に当たったかで成績を競うゲームに用いられる標的において、
ホームベース表示線の方を向けることができ、前記ゲームの成績につながる表示がなされた表示板を有することを特徴とする。
本考案の標的によれば、上記表示板を有するものであるため、プレーヤーから表示内    容が見やすい。
【考案の効果】
【０００６】
本考案によれば、投球用具を屋内で用いる場合の組み立てが容易になり、また標的の表示内容が見やすくなる。
【考案を実施するための最良の形態】
【０００７】
以下、本考案の実施形態について図面に基づき説明する。
図１は、本考案の投球用具の一実施形態を示す斜視図である。図２は、図１に示す投球用具の組み立てを説明する図である。図３は、図２に示すガイド部材１とピン３の変形例を示す図である。
図１に示す投球用具Ａは、ガイド部材１と、支持部材２と、ピン３と、台座部材４とを備えている。ガイド部材１は、不図示のボールが排出される排出口１１と、排出口１１よりも高い位置に設けられボールを供給する供給口１２と、排出口１１と供給口１２とを結び供給口１２から供給したボールが排出口１１に向かって転がる案内部１３とを有する樋状のものである。なお、ガイド部材１は筒状のものであってもよい。ガイド部材１は、底面１０ａに下方に向けて突出したピン３を取り外し自在に有するものである（図２（ａ）参照）。なお、図３に示すように、ガイド部材１は、底面１０ａに下方に向けて突出したピン３を一体に設けたものであってもよい。
図２に示すように、支持部材２は、上方を向いた端部２０ａにピン３が差し込まれる差込孔２１を有するものである。この支持部材２は、ガイド部材１と分離自在なものである。ピン３が差込孔２１に差し込まれることで、ガイド部材１が支持部材２によって支持される。
台座部材４は、突部４１を有する。支持部材２は、下方を向いた端部２０bに該台座部材の突部４１が嵌め込まれる嵌込孔２２を有する。台座部材４は、突部４１が嵌込孔２２に嵌め込まれることで支持部材２を支えるものである。支持部材２と台座部材４は、分離自在である。
図４は、本考案の標的の一実施形態を示す斜視図である。
図４に示す標的Ｂは、ゲームの成績につながる表示（図４では３点を表す表示）がなされた表示板５１を有する。この表示板５１は、両端が脚部５２によって支持され、標的Ｂは、ホームベース表示線の方を向けて配置される。
【０００８】
図５は、図４に示す標的の変形例を示す図である。
図５に示す標的Ｂ’は、アーチ状のフレーム５３に表示板５４を吊り下げたものである。フレーム５３の両端は脚部５５によって支持されている。この標的Ｂ’も、ホームベース表示線の方を向けて配置される。
なお、ここで説明した投球用具および標的は、実用新案登録第３１１４５８４号の擬似野球ゲームの投球用具、打球判定用具（標的）としても使うことが出来る。
図６は、図１に示す投球用具と図４に示す標的を配置した標的当てゲームを説明するための図である。
このゲームは複数の標的Ｂを配置した状態で、転がってくる不図示のボールを打者７６が打ち返し、打ち返したボールがいずれの標的Ｂに当たったかで成績を競うゲームである。
以下、具体的に説明する。
【０００９】
５ｍ×５ｍ程度の床スペースで人数は１１人での実施例である。まず、図６のように用具を並べ、フェア・ファウル区分線７１と内外野区分線７２とホームベース表示線７３および打席線７４、７４’をテープ等で床に貼る。図１の投球用具Ａを投球位置に配置する。投球用具Ａの組み立ては簡単であり、図２に示す台座部材４に支持部材２を嵌め込み、ガイド部材１と支持部材２にピン３を差し込むことによって組み立てられる。図４に示す標的Ｂの表示板５１には、『２』、『３』、『ホームラン』、『アウト』のような表示がしてある。『ホームラン』は５点とする。標的Ｂは、内外野区分線７２の外野部の複数箇所に、表示板５１をホームベース表示線の方向に向けて配置する。
１１人のうち１人は審判とし、残る１０人を５人ずつの２チームに分け、先攻・後攻を決め、それぞれのチームで攻撃時の打順と非攻撃時の投手順を決める。
【００１０】
非攻撃チームの投手順が１番のプレーヤーが投球用具の横７５にボールを持って立つ。攻撃チームの打順１番のプレーヤー（打者）７６が打席７４または７４’にスティックを持って立つ。投手がボールを投球用具のボール供給口に放す。ガイド部材から転がってくるボールを打者７６がスティックで打ち返す。打ち返したボールがどの標的に当たったかで打者の成績を決める。どこにも当たらなかったときは１点とする。ただし、ボールがフェア・ファウル区分線７１よりも外側に外れた時は、打ち直す。
【００１１】
攻撃チームが３アウト（アウトの標的に３人の打者が当てる）になるまでに、計何点にあてたかでそのイニングの得点とする。
３アウトで攻撃チームを交代し、先に決めたイニング数までの総得点を競う。
【図面の簡単な説明】
【００１２】
【図１】本考案の投球用具の一実施形態を示す斜視図である。
【図２】図１に示す投球用具の組み立てを説明する図である。                    （ａ）投球用具の組み立て前を説明する図である。                             （ｂ）投球用具の組み立て後を説明する図である。
【図３】図３は、図１に示す投球用具の変形例を示す図である。
【図４】標的当てゲームにおける用具展開平面図である。
【図５】図４に示す標的の変形例を示す図である。
【図６】投球用具と標的を配置した標的当てゲームを説明する図である。
【符号の説明】
【００１３】
Ａ  投球用具
Ｂ，Ｂ’  標的
１  ガイド部材
２  支持部材
３  ピン
４  台座部材
５  支持部材下端
１０ａガイド部材底面
１１  ガイド部材ボール排出口
１２  ガイド部材ボール供給口
１３  ガイド部材ボール案内部
２０ａ支持部材上端部
２０ｂ支持部材下端部
２１  支持部材差込孔
２２  支持部材嵌込孔
４１  台座部材突部
５１  標的表示板
５２  標的脚部
５３  変形例標的フレーム
５４  変形例標的表示板
５５  変形例標的脚部
７１  フェア・ファウル区分線
７２  内外野区分線
７３  ホームベース表示線
７４  打席
７５  投手
７６  打者
【図１】
0003146779.tif 000003
【図２】
0003146779.tif 000004
【図３】
0003146779.tif 000005
【図４】
0003146779.tif 000006
【図５】
0003146779.tif 000007
【図６】
0003146779.tif 000008
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
複数の標的を配置した状態で、転がってくるボールを打者が打ち返し、打ち返したボー
ルがいずれの標的に当たったかで成績を競うゲームに用いられ、該打者に向けてボールを
転がす投球用具において、
ボールが排出される排出口と、該排出口よりも高い位置に設けられボールを供給する供
給口と、該排出口と該供給口とを結び該供給口から供給したボールが該排出口に向かって
転がる案内部とを有する樋又は筒状のガイド部材と、
前記ガイド部材を支持し、該ガイド部材と分離自在な支持部材とを備え、
前記ガイド部材と前記支持部材のうちのいずれか一方の部材はピンが差し込まれる差込
孔を有するとともに、いずれか他方の部材は該ピンを有し、該ピンが該差込孔に差し込ま
れることで、該ガイド部材が該支持部材によって支持されることを特徴とする投球用具。
【請求項２】
前記ガイド部材が、底面に下方に向けて突出した取り外し自在のピンを有するものであ
り、前記支持部材が、上方を向いた端部に前記ピンが差し込まれる差込孔を有するもので
あることを特徴とする請求項１記載の投球用具。
【請求項３】
突部を有する台座部材を備え、
前記支持部材が、前記突部が嵌め込まれる嵌込孔を有し、
前記台座部材は、前記突部が前記嵌込孔に嵌め込まれることで前記支持部材を支えるも
のであることを特徴とする請求項１又は２記載の投球用具。
【手続補正３】
【補正対象書類名】明細書
【補正対象項目名】０００３
【補正方法】変更
【補正の内容】
【０００３】
類似のゲーム用具に実用新案登録第３１１４５８４号の擬似野球ゲーム用具がある。
該用具類のうち投球用具は屋内で用いるには用具の組み立てが困難という欠点がある。
本考案は、投球用具の組み立てを容易にすることを目的とする。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本考案によれば、投球用具を屋内で用いる場合の組み立てが容易になる。
【手続補正６】
【補正対象書類名】明細書
【補正対象項目名】０００７
【補正方法】変更
【補正の内容】
【０００７】
以下、本考案の実施形態について図面に基づき説明する。
図１は、本考案の投球用具の一実施形態を示す斜視図である。図２は、図１に示す投球
用具の組み立てを説明する図である。図３は、図２に示すガイド部材１とピン３の変形例
を示す図である。
図１に示す投球用具Ａは、ガイド部材１と、支持部材２と、ピン３と、台座部材４とを
備えている。ガイド部材１は、不図示のボールが排出される排出口１１と、排出口１１よ
りも高い位置に設けられボールを供給する供給口１２と、排出口１１と供給口１２とを結
び供給口１２から供給したボールが排出口１１に向かって転がる案内部１３とを有する樋
状のものである。なお、ガイド部材１は筒状のものであってもよい。ガイド部材１は、底
面１０ａに下方に向けて突出したピン３を取り外し自在に有するものである（図２（ａ）
参照）。なお、図３に示すように、ガイド部材１は、底面１０ａに下方に向けて突出した
ピン３を一体に設けたものであってもよい。
図２に示すように、支持部材２は、上方を向いた端部２０ａにピン３が差し込まれる差
込孔２１を有するものである。この支持部材２は、ガイド部材１と分離自在なものである
。ピン３が差込孔２１に差し込まれることで、ガイド部材１が支持部材２によって支持さ
れる。
台座部材４は、突部４１を有する。支持部材２は、下方を向いた端部２０bに該台座部
材の突部４１が嵌め込まれる嵌込孔２２を有する。台座部材４は、突部４１が嵌込孔２２
に嵌め込まれることで支持部材２を支えるものである。支持部材２と台座部材４は、分離
自在である。
図４は、標的の一実施形態を示す斜視図である。
図４に示す標的Ｂは、ゲームの成績につながる表示（図４では３点を表す表示）がなさ
れた表示板５１を有する。この表示板５１は、両端が脚部５２によって支持され、標的Ｂ
は、ホームベース表示線の方を向けて配置される。
【手続補正７】
【補正対象書類名】明細書
【補正対象項目名】００１２
【補正方法】変更
【補正の内容】
【００１２】
【図１】本考案の投球用具の一実施形態を示す斜視図である。
【図２】図１に示す投球用具の組み立てを説明する図である。（ａ）投球用具の組み立て前を説明する図である。（ｂ）投球用具の組み立て後を説明する図である。
【図３】図３は、図１に示す投球用具の変形例を示す図である。
【図４】標的の一実施形態を示す斜視図である。
【図５】図４に示す標的の変形例を示す図である。
【図６】投球用具と標的を配置した標的当てゲームを説明する図である。